(57)【要約】本発明は多様なセキュリティポリシーの設定及び変更によって発生する各種ログ情報を効果的に照会及び確認でき、収集されたログ情報を基準にこれと関連されたセキュリティポリシーがどのようなものなのか照会及び確認できるセキュリティポリシー及び監査ログ双方向照会、照合、追跡システム及びその方法に関するものである。本発明によると、各セキュリティポリシーによって生成及び記録されたログを照会、照合及び追跡が可能であり、収集されたログに適用されたセキュリティポリシーが何か照会、照合及び追跡が可能であり、セキュリティポリシーとログをリアルタイムで双方向照会、照合及び追跡が可能である。【選択図】図３
2021532440.tif 000002
【特許請求の範囲】
【請求項１】
セキュリティポリシーが生成及び変更される度に固有のポリシー識別情報を付与して該当セキュリティポリシーを統合セキュリティポリシーヒストリＤＢに記録及び管理し、セキュリティソフトウェアエージェントにセキュリティポリシー情報を転送するセキュリティポリシー設定部であって、前記ポリシー識別情報は、セキュリティポリシーＩＤ又はセキュリティポリシーＩＤとポリシー構成情報に構成されるセキュリティポリシー設定部、
前記セキュリティポリシー設定部で受信したセキュリティポリシーを適用して前記セキュリティポリシーを遵守するログ及びセキュリティポリシーを違反するログ発生時に、該当ログ発生と関連されたセキュリティポリシー固有のセキュリティポリシーＩＤ又はポリシー構成情報をログ情報に含めて監査ログを生成するセキュリティソフトウェアエージェント、
前記セキュリティソフトウェアエージェントで生成した監査ログを収集し、該当監査ログでセキュリティポリシーＩＤ又はポリシー構成情報を抽出して、これを前記ポリシー識別情報として収集された監査ログ内容とマッピングして監査ログＤＢに記録する監査ログ収集部、及び
前記統合セキュリティポリシーヒストリＤＢに記録された前記ポリシー識別情報と前記監査ログＤＢに記録された前記ポリシー識別情報を比較してセキュリティポリシーと関連された監査ログを照会、照合及び追跡し、監査ログと関連されたセキュリティポリシーを照会、照合及び追跡する双方向照会追跡部、を含むことを特徴とする、セキュリティポリシー及び監査ログ双方向照会、照合、追跡システム。
【請求項２】
前記セキュリティポリシー設定部は、
セキュリティポリシーを唯一識別可能なセキュリティポリシーＩＤ又はセキュリティポリシーＩＤ及び複数の項目で構成されたポリシー構成情報を生成し、セキュリティポリシーＩＤと該当セキュリティポリシーをマッピングしたり、セキュリティポリシーＩＤ及び複数の項目で構成されたポリシー構成情報をセキュリティポリシーとマッピングして前記統合セキュリティポリシーヒストリＤＢに記録することを特徴とする、請求項１に記載のセキュリティポリシー及び監査ログ双方向照会、照合、追跡システム。
【請求項３】
前記セキュリティポリシー設定部は、
セキュリティソフトウェアのセキュリティポリシーＩＤがないセキュリティポリシーを収集して該当セキュリティポリシーで抽出した行為者又は前記行為者のアクセスパスを示すサブジェクト情報、前記行為者又は前記アクセスパスを通じてアクセスしようとする対象を示すオブジェクト情報及び前記行為者又は前記アクセスパスでアクセスしようとする対象に対して実行しようとする内容を表す行為情報を含む複数の項目で構成されるポリシー構成情報を設定し、セキュリティポリシーＩＤを付与してセキュリティポリシーＩＤ及び複数の項目で構成されたポリシー構成情報をセキュリティポリシーとマッピングして前記統合セキュリティポリシーヒストリＤＢに記録することを特徴とする、請求項２に記載のセキュリティポリシー及び監査ログ双方向照会、照合、追跡システム。
【請求項４】
前記セキュリティポリシー設定部は、
セキュリティポリシーＩＤを適用できるセキュリティソフトウェアのセキュリティポリシーに対してセキュリティポリシーＩＤを付与して前記統合セキュリティポリシーヒストリＤＢに記録し、セキュリティポリシーＩＤが含まれたセキュリティポリシー情報を前記セキュリティソフトウェアエージェントに転送し、セキュリティポリシーＩＤを適用することができないセキュリティソフトウェアのセキュリティポリシーに対してポリシー構成情報を設定しセキュリティポリシーＩＤを付与して前記統合セキュリティポリシーヒストリＤＢに記録し、セキュリティポリシーＩＤが含まれてないセキュリティポリシー情報のみを前記セキュリティソフトウェアエージェントに転送することを特徴とする、請求項３に記載のセキュリティポリシー及び監査ログ双方向照会、照合、追跡システム。
【請求項５】
前記セキュリティポリシー設定部は、セキュリティソフトウェアに対する各セキュリティポリシー毎にセキュリティシステムＩＤをマッピングして前記統合セキュリティポリシーヒストリＤＢに記録し、
前記監査ログ収集部は、各監査ログ毎にセキュリティシステムＩＤをマッピングして前記監査ログＤＢに記録し、
前記双方向照会追跡部は、前記統合セキュリティポリシーヒストリＤＢに記録されたセキュリティシステムＩＤと前記監査ログＤＢに記録されたセキュリティシステムＩＤを比較してセキュリティポリシーと監査ログ間に双方向照会、照合及び追跡機能を提供することを特徴とする、請求項４に記載のセキュリティポリシー及び監査ログ双方向照会、照合、追跡システム。
【請求項６】
前記セキュリティソフトウェアエージェントは、セキュリティポリシーを遵守するログ及びセキュリティポリシーを違反するログ発生時、該当ログを前記セキュリティポリシー設定部から受信したセキュリティポリシー情報で検索し、該当ログのセキュリティポリシーＩＤがある場合、セキュリティポリシーＩＤをログに含めて監査ログを記録し、セキュリティポリシー情報で検索結果該当ログのセキュリティポリシーＩＤがない場合、ポリシー構成情報をログに含めて監査ログを記録することを特徴とする、請求項１に記載のセキュリティポリシー及び監査ログ双方向照会、照合、追跡システム。
【請求項７】
前記セキュリティソフトウェアエージェントは、該当ログにセキュリティポリシーＩＤを含めることができない場合、セキュリティポリシーで抽出した行為者又は前記行為者のアクセスパスを示すサブジェクト情報、前記行為者又は前記アクセスパスを通じてアクセスしようとする対象を示すオブジェクト情報、前記行為者又は前記アクセスパスでアクセスしようとする対象に対して実行しようとする内容を示す行為情報及びアクセスしようとする対象に対して実行しようとする内容を許容するか又は拒否するかを示す許容／可否情報を含むポリシー構成情報をログに含めて監査ログを記録することを特徴とする、請求項６に記載のセキュリティポリシー及び監査ログ双方向照会、照合、追跡システム。
【請求項８】
前記監査ログ収集部は、収集された監査ログにセキュリティポリシーＩＤが記録されている場合、セキュリティポリシーＩＤを抽出して前記ポリシー識別情報として使用し、収集された監査ログにセキュリティポリシーＩＤが記録されていない場合、ポリシー構成情報を抽出し、これを利用して前記統合セキュリティポリシーヒストリＤＢを照会してセキュリティポリシーＩＤを獲得して前記ポリシー識別情報として使用することを特徴とする、請求項１に記載のセキュリティポリシー及び監査ログ双方向照会、照合、追跡システム。
【請求項９】
申請書ＩＤ、セキュリティポリシーの申請者情報、セキュリティポリシー申請内容を含む情報を申請情報ＤＢに記録及び管理する申請情報設定部をさらに備え、
前記統合セキュリティポリシーヒストリＤＢは、各セキュリティポリシー毎に該当セキュリティポリシーを申請した前記申請書ＩＤが割当てられ、
前記統合セキュリティポリシーヒストリＤＢの前記申請書ＩＤを基に前記申請情報ＤＢを照会して該当セキュリティポリシーに対する申請情報を照会したり、前記監査ログＤＢの各監査ログに割当てられたセキュリティポリシーＩＤを基に前記統合セキュリティポリシーヒストリＤＢを検索して該当セキュリティポリシーに対する前記申請書ＩＤを確認した後、前記申請書ＩＤを基に前記申請情報ＤＢを照会して該当セキュリティポリシーに対する申請情報を照会する申請情報確認部をさらに備えることを特徴とする、請求項１に記載のセキュリティポリシー及び監査ログ双方向照会、照合、追跡システム。
【請求項１０】
セキュリティポリシーが生成及び変更される度に固有のポリシー識別情報を付与して該当セキュリティポリシーを統合セキュリティポリシーヒストリＤＢに記録及び管理し、セキュリティソフトウェアエージェントにセキュリティポリシー情報を転送するセキュリティポリシー設定段階であって、前記前記ポリシー識別情報は、セキュリティポリシーＩＤ又はセキュリティポリシーＩＤとポリシー構成情報で構成されるセキュリティポリシー設定段階、
前記セキュリティソフトウェアエージェントは、受信したセキュリティポリシーを適用して前記セキュリティポリシーを遵守するログ及びセキュリティポリシーを違反するログ発生時、該当ログ発生と関連されたセキュリティポリシー固有のセキュリティポリシーＩＤ又はポリシー構成情報をログ情報に含めて監査ログを生成するセキュリティポリシー適用段階、
生成した監査ログを収集し、該当監査ログでセキュリティポリシーＩＤ又はポリシー構成情報を抽出し、これを前記ポリシー識別情報として収集された監査ログ内容とマッピングした後監査ログＤＢに記録する監査ログ収集段階、及び
前記統合セキュリティポリシーヒストリＤＢに記録された前記ポリシー識別情報と前記監査ログＤＢに記録された前記ポリシー識別情報を比較してセキュリティポリシーと関連された監査ログを照会、照合及び追跡し、監査ログと関連されたセキュリティポリシーを照会、照合及び追跡する双方向照会追跡段階、を含むことを特徴とする、セキュリティポリシー及び監査ログ双方向照会、照合、追跡方法。
【請求項１１】
前記セキュリティポリシー設定段階は、
セキュリティポリシーを唯一識別可能なセキュリティポリシーＩＤ又はセキュリティポリシーＩＤ及び複数の項目で構成されたポリシー構成情報を生成し、セキュリティポリシーＩＤと該当セキュリティポリシーをマッピングしたりセキュリティポリシーＩＤ及び複数の項目で構成されたポリシー構成情報をセキュリティポリシーとマッピングして前記統合セキュリティポリシーヒストリＤＢに記録することを特徴とする、請求項１０に記載のセキュリティポリシー及び監査ログ双方向照会、照合、追跡方法。
【請求項１２】
前記セキュリティポリシー設定段階は、
セキュリティポリシーＩＤがないセキュリティポリシーを収集して該当セキュリティポリシーから抽出した行為者又は前記行為者のアクセスパスを表すサブジェクト情報、前記行為者又は前記アクセスパスを通じてアクセスしようとする対象を表すオブジェクト情報及び前記行為者又は前記アクセスパスでアクセスしようとする対象に対して実行しようとする内容を表す行為情報を含む複数の項目で構成されるポリシー構成情報を設定し、セキュリティポリシーＩＤを付与してセキュリティポリシーＩＤ及び複数の項目で構成されたポリシー構成情報をセキュリティポリシーとマッピングして前記統合セキュリティポリシーヒストリＤＢに記録することを特徴とする、請求項１１に記載のセキュリティポリシー及び監査ログ双方向照会、照合、追跡方法。
【請求項１３】
前記セキュリティポリシー設定段階は、
セキュリティポリシーＩＤを適用することができるセキュリティソフトウェアのセキュリティポリシーに対してセキュリティポリシーＩＤを付与して前記統合セキュリティポリシーヒストリＤＢに記録し、セキュリティポリシーＩＤが含まれたセキュリティポリシー情報を前記セキュリティソフトウェアエージェントに転送し、セキュリティポリシーＩＤを適用することができないセキュリティソフトウェアのセキュリティポリシーに対してポリシー構成情報を設定し、セキュリティポリシーＩＤを付与して前記統合セキュリティポリシーヒストリＤＢに記録して、セキュリティポリシーＩＤが含まれていないセキュリティポリシー情報のみを前記セキュリティソフトウェアエージェントに転送することを特徴とする、請求項１２に記載のセキュリティポリシー及び監査ログ双方向照会、照合、追跡方法。
【請求項１４】
前記セキュリティポリシー設定段階は、前記セキュリティソフトウェアに対する各セキュリティポリシー毎にセキュリティシステムＩＤをマッピングして前記統合セキュリティポリシーヒストリＤＢに記録し、
前記監査ログ収集段階は、各監査ログ毎にセキュリティシステムＩＤをマッピングして前記監査ログＤＢに記録し、
前記双方向照会追跡段階は、前記統合セキュリティポリシーヒストリＤＢに記録されたセキュリティシステムＩＤと前記監査ログＤＢに記録されたセキュリティシステムＩＤを比較してセキュリティポリシーと監査ログ間に双方向照会、照合及び追跡機能を提供することを特徴とする、請求項１３に記載のセキュリティポリシー及び監査ログ双方向照会、照合、追跡方法。
【請求項１５】
前記セキュリティポリシー適用段階は、セキュリティポリシーを遵守するログ及びセキュリティポリシーを違反するログ発生時、該当ログをセキュリティポリシー設定部から受信したセキュリティポリシー情報で検索して該当ログのセキュリティポリシーＩＤがある場合、セキュリティポリシーＩＤをログに含んで監査ログを記録し、セキュリティポリシー情報で検索結果該当ログのセキュリティポリシーＩＤがない場合、ポリシー構成情報をログに含めて監査ログを記録することを特徴とする、請求項１０に記載のセキュリティポリシー及び監査ログ双方向照会、照合、追跡方法。
【請求項１６】
前記セキュリティポリシー適用段階は、該当ログにセキュリティポリシーＩＤを含めることができない場合、セキュリティポリシーから抽出した行為者又は前記行為者のアクセスパスを表すサブジェクト情報、前記行為者又は前記アクセスパスを通じてアクセスしようとする対象を表すオブジェクト情報、前記行為者又は前記アクセスパスでアクセスしようとする対象に対して実行しようとする内容を表す行為情報及びアクセスしようとする対象に対して実行しようとする内容を許容するか又は拒否するかを表す許容／拒否情報を表す情報を含むポリシー構成情報をログに含めて監査ログを記録することを特徴とする、請求項１５に記載のセキュリティポリシー及び監査ログ双方向照会、照合、追跡方法。
【請求項１７】
前記監査ログ収集段階は、収集された監査ログにセキュリティポリシーＩＤが記録されている場合、セキュリティポリシーＩＤを抽出して前記ポリシー識別情報ＩＤを抽出して前記ポリシー識別情報として使用し、収集された監査ログにセキュリティポリシーＩＤが記録されていない場合、ポリシー構成情報を抽出し、これを利用して前記統合セキュリティポリシーヒストリＤＢを照会しセキュリティポリシーＩＤを獲得して前記ポリシー識別情報として使用することを特徴とする、請求項１０に記載のセキュリティポリシー及び監査ログ双方向照会、照合、追跡方法。
【請求項１８】
申請書ＩＤ、セキュリティポリシーの申請者情報、セキュリティポリシー申請内容を含む情報を申請情報ＤＢに記録及び管理し、前記統合セキュリティポリシーヒストリＤＢは、各セキュリティポリシー毎に該当セキュリティポリシーを申請した前記申請書ＩＤが割当てられ、
前記統合セキュリティポリシーヒストリＤＢの前記申請書ＩＤを基に前記申請情報ＤＢを照会して該当セキュリティポリシーに対する申請情報を照会したり、前記監査ログＤＢの各監査ログに割当てられたセキュリティポリシーＩＤを基に前記統合セキュリティポリシーヒストリＤＢを検索して該当セキュリティポリシーに対する前記申請書ＩＤを確認した後、前記申請書ＩＤを基に前記申請情報ＤＢを照会して該当セキュリティポリシーに対する申請情報を照会する申請情報確認段階をさらに備えることを特徴とする、請求項１０に記載のセキュリティポリシー及び監査ログ双方向照会、照合、追跡方法。
【発明の詳細な説明】
【技術分野】
【０００１】
本発明は、現行及び過去セキュリティポリシーとログをリアルタイムで双方向照会、総合及び追跡して確認することができるセキュリティポリシー及び監査ログ双方向照会、総合、追跡システム及びその方法に関する。
【背景技術】
【０００２】
韓国公開特許第１０−２００９−００４４２０２号公報は、ウェブページの多様な攻撃タイプの中ウェブページの迂回侵入及びウェブページ媒介変数の変調による侵入に対する探知可能なウェブセキュリティシステムを構築することで、セキュリティ体系を強化できるウェブページの迂回侵入探知及び媒介変数変調侵入探知を利用したウェブセキュリティサービス方法及びそのシステムを提供する。
【０００３】
韓国公開特許第１０−２００９−００４４２０２号公報は、ウェブサーバから生成されたログファイルを収集し、収集されたログファイルを保存し、このログファイルを利用して、アクセスの試みられたウェブページのアクセス手順を分析し、正常なウェブページのアクセス手順と比較して一致可否を判断し非正常アクセスの試みと判断されると報告書を生成し、その報告書を管理者端末に転送する。
【０００４】
しかし、韓国公開特許第１０−２００９−００４４２０２号公報は、各ログ情報を基にどのようなセキュリティポリシーが適用されたのか照合確認が困難であり、各セキュリティポリシー情報を基にどのようなログが生成及び記録されたのか照会確認が難しい問題がある。
【０００５】
そして、現行セキュリティポリシーとログをリアルタイムに双方向照会、総合及び追跡確認が不可能で、現行以前に設定された過去セキュリティポリシーとログをリアルタイムに双方向照会、照合及び追跡確認が不可能である。
【０００６】
ハッキング及びセキュリティ侵害攻撃の技術レベルは日々発展しているが、ログファイルを収集しても、これを該当セキュリティシステムに設定されたセキュリティポリシーと比較して、ログ情報がどのセキュリティポリシーと関連したのかを分析できなければ、迅速かつ体系的なハッキング及びセキュリティ侵害事故の原因分析と対応が困難にならざるを得ない。
【０００７】
また、管理者が収集したログファイルをセキュリティポリシーといちいち比較して分析すると、かなり時間がかかり、経済的面でもかなり非効率にならざるを得ない。
【０００８】
結局、ビックデータ統合ログなど各種セキュリティ関連ログが幾何級数的に増加している現状において、組織のセキュリティポリシーの中でどのポリシーから該当ログが発生したのかを明確に比較分析することが非常に困難であり、ハッキング及びセキュリティ侵害事故の原因分析と対応が迅速かつ体系的に行われていない実情である。
【０００９】
上記のような状況を総合してみると、膨大な量のログ情報をセキュリティポリシーとリアルタイム及び双方向に比較、分析してセキュリティ侵害事故の原因を即に把握できるようにし、迅速な事項対応が可能とするセキュリティソリューションが切実に必要な時期である。
【先行技術文献】
【特許文献】
【００１０】
【特許文献１】韓国公開特許第１０−２００９−００４４２０２号公報
【発明の概要】
【発明が解決しようとする課題】
【００１１】
本発明は上記のような問題を改善するために発明されたもので、様々なセキュリティポリシーの設定及び変更によって発生する各種ログ情報を効果的に照会及び確認することができ、収集されたログ情報を基準に、これに関連するセキュリティポリシーがどのようなものであるかを照会及び確認できるセキュリティポリシー及び監査ログ双方向照会、照合、追跡システム及びその方法を提供するためのものである。
【００１２】
具体的に、本発明は新規セキュリティポリシーだけではなく、既存セキュリティポリシーを適用して、セキュリティポリシーを遵守及び違反するイベントが発生時、監査ログを記録し、セキュリティポリシーと監査ログ両方に記録されたポリシー識別情報（セキュリティポリシーＩＤ又はポリシー構成情報）及びセキュリティシステムＩＤを利用してセキュリティポリシーと関連されたログ及びログと関連されたセキュリティポリシーを双方向で照会、照合、追跡することができるシステム及びその方法を提供するためのものである。
【課題を解決するための手段】
【００１３】
上記のような目的を達成するために、本発明はセキュリティポリシーが生成及び変更される度に、固有のポリシー識別情報を付与して該当セキュリティポリシーを統合セキュリティポリシーヒストリＤＢに記録及び管理し、セキュリティソフトウェアエージェントにセキュリティポリシー情報を転送するセキュリティポリシー設定部であって、上記ポリシー識別情報はセキュリティポリシーＩＤ又はセキュリティポリシーＩＤとポリシー構成情報で構成されるセキュリティポリシー設定部、上記セキュリティポリシー設定部で受信したセキュリティポリシーを適用し、上記セキュリティポリシーを遵守するログ及びセキュリティポリシーを違反するログ発生時に、該当ログ発生と関連されたセキュリティポリシー固有のセキュリティポリシーＩＤ又はポリシー構成情報を上記ログ情報に含めて監査ログを生成するセキュリティソフトウェアエージェント、上記セキュリティソフトウェアエージェントで生成した監査ログを収集し、該当監査ログでセキュリティポリシーＩＤ又はポリシー構成情報を抽出し、これをポリシー識別情報として収集された監査ログ内容とマッピングして監査ログＤＢに記録する監査ログ収集部、及び上記統合セキュリティポリシーヒストリＤＢに記録されたポリシー識別情報と監査ログＤＢに記録されたポリシー識別情報を比較してセキュリティポリシーと関連された監査ログを照会、照合及び追跡して、監査ログと関連されたセキュリティポリシーを照会、照合及び追跡する双方向照会追跡部、を含むことを特徴とする。
【００１４】
一方、上記のような目的を達成するために、本発明はセキュリティポリシーが生成及び変更される度に固有のポリシー識別情報を付与して該当セキュリティポリシーを統合セキュリティポリシーヒストリＤＢに記録及び管理し、セキュリティソフトウェアエージェントにセキュリティポリシー情報を転送するセキュリティポリシー設定段階であって、上記ポリシー識別情報はセキュリティポリシーＩＤ又はセキュリティポリシーＩＤとポリシー構成情報で構成されるセキュリティポリシー設定段階、セキュリティソフトウェアエージェントは受信したセキュリティポリシーを適用して上記セキュリティポリシーを遵守するログ及びセキュリティポリシーを違反するログ発生時に、該当ログ発生と関連されたセキュリティポリシー固有のセキュリティポリシーＩＤ又はポリシー構成情報を上記ログ情報に含めて監査ログを生成するセキュリティポリシー適用段階、生成した監査ログを収集し、該当監査ログでセキュリティポリシーＩＤ又はポリシー構成情報を抽出し、これをポリシー識別情報として収集された監査ログ内容とマッピングした後、監査ログＤＢに記録する監査ログ収集段階、及び統合セキュリティポリシーヒストリＤＢに記録されたポリシー識別情報と監査ログＤＢに記録されたポリシー識別情報を比較してセキュリティポリシーと関連された監査ログを照会、照合及び追跡して、監査ログと関連されたセキュリティポリシーを照会、照合及び追跡する双方向照会追跡段階、を含むことを特徴とする。
【発明の効果】
【００１５】
上記のような構成の本発明によれば、次のような効果を図ることができる。
【００１６】
まず、各セキュリティポリシーによって生成及び記録されたログを照会、照合及び追跡が可能で、収集されたログに適用されたセキュリティポリシーが何か照会、照合及び追跡が可能であり、セキュリティポリシーとログをリアルタイムで双方向照会、照合及び追跡が可能である。
【００１７】
そして、ビックデータ統合ログ等多量のログ分析時、過去から現在までのセキュリティポリシーと照合や追跡が可能で、組織のセキュリティポリシーの中でどのようなセキュリティポリシーから該当ログが発生したのかを明確に比較分析することができハッキング及びセキュリティ侵害事故の原因分析と対応が迅速かつ体系的に行われる。
【００１８】
さらに、セキュリティポリシーＤＢと申請情報ＤＢを比較してセキュリティポリシーに対する申請者情報を確認することはもちろん、監査ログＤＢとセキュリティポリシーＤＢを比較して監査ログに対するセキュリティポリシーを確認して、これを利用して申請情報ＤＢから申請者情報を確認することができて監査ログからセキュリティポリシー申請者情報を追跡することができる。
【図面の簡単な説明】
【００１９】
【図１】図１は本発明の一実施例によるセキュリティポリシー及び監査ログ双方向照会、照合、追跡システムのブロック図である。
【図２】図２は本発明の一実施例によるセキュリティポリシー及び監査ログ双方向照会、照合、追跡方法の手順図である。
【図３】図３は本発明の一実施例によるセキュリティポリシー及び監査ログ双方向照会、照合、追跡システムの構成する各構成要素間の関係を表す構成図である。
【図４】図４はセキュリティポリシーの例示を表す図面である。
【図５】図５は統合セキュリティポリシーヒストリＤＢの例示を表した図面である。
【図６】図６は監査ログの例示を表した図面である。
【図７】図７はポリシー識別情報抽出例示を表した図面である。
【図８】図８は監査ログＤＢの例示を表した図面である。
【図９】図９は本発明の一実施例によるセキュリティポリシー及び監査ログ双方向照会、照合、追跡システムでセキュリティポリシーと監査ログの間に双方向照会、照合及び追跡が行われる状況に対する概念図である。
【図１０】図１０は本発明の一実施例によるセキュリティポリシー及び監査ログ双方向照会、照合、追跡システムでセキュリティポリシーと監査ログ情報を通じて申請者情報を確認する状況に対する概念図である。
【図１１】図１１は本発明の一実施例によるセキュリティポリシー及び監査ログ双方向照会、照合、追跡システムで監査ログを通じてセキュリティポリシーヒストリを照会し、セキュリティポリシーに対する申請者情報を照会する概念図である。
【発明を実施するための形態】
【００２０】
本発明の利点及び特徴、そしてそれらを達成する方法は、添付される図面と一緒に詳細に後述される実施例を参照すると明確になる。
【００２１】
しかし、本発明は、以下で開始される実施例に限定されるものではなく、異なる様々な形で実装されるものである。
【００２２】
本明細書において、本実施例は本発明の開示が完全に行われるようにし、本発明が属する技術分野で通常の知識を持つ者に発明の範疇を完全に知らせるために提供されるものである。
【００２３】
そして、本発明は請求項の範疇によって定義されるだけである。
【００２４】
したがって、いくつかの実施例で、よく知られた構成要素、よく知られている動作及びよく知られている技術は、本発明が曖昧に解釈されることを防ぐために具体的に説明されない。
【００２５】
なお、明細書全体にかけて、同一参照符号は同一構成要素を指し、本明細書で使用された（言及された）用語は実施例を説明するためのものであり、本発明を制限しようとするものではない。
【００２６】
本明細書で、単数形は文言で特別に言及しない限り複数形も含み、‘含む（又は、具備）する’と述べられた構成要素及び動作は１つ以上の違う構成要素及び動作の存在又は追加を排除しない。
【００２７】
他の定義がなければ、本明細書で使用されるすべての用語（技術及び科学的用語を含む）は、本発明が属する技術分野で通常の知識を持つ者に共通的に理解できる意味として使えるだろう。
【００２８】
また、一般的に使用される辞書に定義されている用語は、定義されていない限り理想的に又は過渡に解釈されない。
【００２９】
以下、添付された図面を参考に、本発明の望ましい実施例に対して説明する。
【００３０】
図１ないし図１１を参考すると、セキュリティポリシー及び監査ログ双方向照会、照合、追跡システム（１００）は、セキュリティポリシー設定部（１１０）、セキュリティソフトウェアエージェント（１２０）、監査ログ収集部（１３０）及び双方向照会追跡部（１４０）を含み、申請情報設定部（１５０）及び申請情報確認部（１６０）をさらに含むことができる。
【００３１】
図３ないし図５を参考すると、ユーザがセキュリティポリシーを申請すると、管理者はセキュリティポリシーを生成及び変更する。
【００３２】
セキュリティポリシー設定部（１１０）は、セキュリティポリシーが生成及び変更される度に固有のポリシー識別情報を付与して該当セキュリティポリシーを統合セキュリティポリシーヒストリＤＢ（１１３）に記録及び管理し、セキュリティソフトウェアエージェント（１２０）にセキュリティポリシー情報を転送する。ポリシー識別情報は、セキュリティポリシーＩＤあるいはセキュリティポリシーＩＤとポリシー構成情報に構成される。
【００３３】
セキュリティポリシーは、サブジェクト、オブジェクト、行為、ポリシー（許容／拒否）、制約条件などの項目で構成され、図４のように記述され、項目を区分することができる。
【００３４】
図４を参考すると、Ｌｉｎｕｘ（登録商標）ホストファイアウォール（ｉｐｔａｂｌｅｓ）にＩＰアドレス‘１１１．２２２．３３．４４’ですべてＰｒｏｔｏｃｏｌにアクセスする行為を遮断するセキュリティポリシーとアクセス制御セキュリティＳＷで‘ｒｏｏｔ’ユーザが‘／ｈｏｍｅ／ｔｅｓｔ’ディレクトリに‘読込／書込’行為のみを許容するセキュリティポリシーを表す。
【００３５】
ポリシー識別情報は、該当セキュリティポリシーを唯一識別可能なセキュリティポリシーＩＤ又はセキュリティポリシーＩＤ及びポリシー構成情報として生成することができる。
【００３６】
ポリシー構成情報は、セキュリティポリシー及び監査ログに記録される項目又は項目の組み合わせでなければならない。ポリシー構成情報は、セキュリティポリシーＩＤと１：１にマッピングされて保存及び管理される。
【００３７】
セキュリティポリシー設定部（１１０）は、セキュリティポリシーを唯一識別可能なセキュリティポリシーＩＤ又はセキュリティポリシーＩＤ及び複数の項目で構成されたポリシー構成情報を生成し、セキュリティポリシーＩＤと該当セキュリティポリシーをマッピングしたりセキュリティポリシーＩＤ及び複数の項目で構成されたポリシー構成情報をセキュリティポリシーとマッピングして、統合セキュリティポリシーヒストリＤＢ（１１３）に記録する。
【００３８】
ポリシー構成情報は、該当セキュリティポリシーで抽出したサブジェクト情報、オブジェクト情報及び行為情報を含む複数の項目で構成される。
【００３９】
ポリシー構成情報に対して具体的に説明すると以下のようになる。
【００４０】
サブジェクト情報は、プロセス、ＩＰ（Ｈｏｓｔ）アドレス情報、ユーザアカウント、グループアカウント等コンピュータシステムで行為者を識別できる情報をいう。
【００４１】
オブジェクト情報は、ファイル、ディレクトリ、ＩＰ（Ｈｏｓｔ）アドレス情報、プロセス等コンピュータシステムで行為対象を識別できる情報をいう。
【００４２】
行為情報は、ファイル／ディレクトリ（読取り、書込み、削除、名前変更等）、プロセス（実行、終了）、ネットワーク（Ｉｎｃｏｍｉｎｇ、Ｏｕｔｇｏｉｎｇ）等コンピュータシステムでオブジェクトの状態変更又は情報の流れが伴う行為をいう。
【００４３】
セキュリティポリシー設定部（１１０）は、セキュリティソフトウェアで既設定されたセキュリティポリシーを収取し、これと同じサブジェクト情報、オブジェクト情報、行為情報を含むポリシー構成情報を設定する。
【００４４】
具体的に、セキュリティポリシー設定部（１１０）は、セキュリティソフトウェアのセキュリティポリシーＩＤがないセキュリティポリシーを収集し、該当セキュリティポリシーで抽出した行為者又は行為者のアクセスパスを示すサブジェクト情報、上記行為者又はアクセスパスを通じてアクセスしようとする対象を示すオブジェクト情報及び上記行為者又はアクセスパスでアクセスしようとする対象に対して実行しようとする内容を示す行為情報を含む複数の項目で構成されるポリシー構成情報を設定し、セキュリティポリシーＩＤを付与してセキュリティポリシーＩＤ及び複数の項目で構成されたポリシー構成情報をセキュリティポリシーとマッピングして統合セキュリティポリシーヒストリＤＢ（１１３）に記録する。
【００４５】
既存に設定されたセキュリティポリシーには、セキュリティポリシーＩＤが付与されていないので、セキュリティポリシーＩＤがないセキュリティポリシーを収集し、該当セキュリティポリシーで抽出した情報を利用して構成されるポリシー構成情報を設定した後、セキュリティポリシーＩＤを付与するものである。
【００４６】
なお、セキュリティポリシー設定部（１１０）は、セキュリティポリシーＩＤを適用できるセキュリティソフトウェアの場合、セキュリティポリシーに対してセキュリティポリシーＩＤを付与して統合セキュリティポリシーヒストリＤＢ（１１３）に記録し、セキュリティポリシーＩＤが含まれたセキュリティポリシー情報をセキュリティソフトウェアエージェント（１２０）に転送する。セキュリティポリシーＩＤを適用できないセキュリティソフトウェアの場合、セキュリティポリシーに対してポリシー構成情報を設定し、セキュリティポリシーＩＤを付与してセキュリティポリシーＩＤ及び複数の項目で構成されたポリシー構成情報をセキュリティポリシーとマッピングして統合セキュリティポリシーヒストリＤＢ（１１３）に記録して、セキュリティポリシー情報のみをセキュリティソフトウェアエージェント（１２０）に転送する。
【００４７】
この場合、新規に設定されるセキュリティポリシーに対して、セキュリティソフトウェアエージェント（１２０）がセキュリティポリシーＩＤを適用できる場合、セキュリティポリシーにセキュリティポリシーＩＤを付与してセキュリティポリシーＩＤが含まれたセキュリティポリシー情報をセキュリティソフトウェアエージェント（１２０）に転送し、セキュリティソフトウェアエージェント（１２０）がセキュリティポリシーＩＤを適用できない場合、ポリシー構成情報を設定し、セキュリティポリシーＩＤを付与するが、セキュリティポリシー情報のみをセキュリティソフトウェアエージェント（１２０）に転送することである。
【００４８】
結局、セキュリティポリシーＩＤが含まれてないセキュリティソフトウェアに対するセキュリティポリシーは、セキュリティポリシーＩＤとポリシー構成情報がマッピングされて統合セキュリティポリシーヒストリＤＢ（１１３）に保存され、セキュリティポリシーＩＤが含まれたセキュリティソフトウェアに対するセキュリティポリシーは、セキュリティポリシーＩＤのみマッピングされて統合セキュリティポリシーヒストリＤＢ（１１３）に保存される。
【００４９】
図５を参考すると、統合セキュリティポリシーヒストリＤＢ（１１３）は、ポリシー識別情報とセキュリティポリシーをマッピングして保存する。図５は、図４のセキュリティポリシー例示で見た２つのセキュリティポリシーに対するポリシー識別情報及びセキュリティポリシー保存に対する例を表す。
【００５０】
＜セキュリティポリシーＩＤ、ポリシー構成情報、セキュリティポリシー、その他情報＞を統合セキュリティポリシーヒストリＤＢ（１１３）に記録及び維持する。＜その他情報＞では、セキュリティポリシー設定を要請した申請者又は管理者の情報を入力することができる。
【００５１】
セキュリティポリシーＩＤは唯一ポリシーを識別し、ポリシー構成情報は対象セキュリティポリシー項目の組み合わせとなることができる。
【００５２】
セキュリティポリシーＩＤ“０００００００１”のポリシー構成情報として選択された‘サブジェクト’、‘行為’項目は監査ログに記録される項目の中から選択された組み合わせである。
【００５３】
統合セキュリティポリシーヒストリＤＢ（１１３）は、現行統合セキュリティポリシーＤＢと過去統合セキュリティポリシーＤＢに構成され、セキュリティポリシー変更の場合、現行統合セキュリティポリシーＤＢに保存し、既存ポリシーは過去統合セキュリティポリシーＤＢに移して保存する。
【００５４】
セキュリティポリシー設定部（１１０）は、固有のポリシー識別情報を付与して該当セキュリティポリシーを統合セキュリティポリシーヒストリＤＢ（１１３）に記録及び管理し、セキュリティソフトウェアエージェント（１２０）にセキュリティポリシー情報を転送する。
【００５５】
セキュリティソフトウェアエージェント（１２０）は、セキュリティポリシー設定部（１１０）で受信したセキュリティポリシーを適用してセキュリティポリシーを遵守するログ及びセキュリティポリシーを違反するログ発生時に、該当ログ発生と関連されたセキュリティポリシー固有のセキュリティポリシーＩＤ又はポリシー構成情報をログ情報に含めて監査ログを生成する。セキュリティソフトウェアエージェント（１２０）は、管理対象になる装置やサーバの等、どの装置でも設定及び動作が可能である。
【００５６】
セキュリティソフトウェアエージェント（１２０）は、セキュリティポリシー設定部（１１０）が配布したセキュリティポリシーを適用してセキュリティ機能を実行する。適用されたセキュリティポリシーには、ポリシー識別情報（セキュリティポリシーＩＤ又はポリシー構成情報）が含まれて構成される。
【００５７】
セキュリティソフトウェアエージェント（１２０）は、セキュリティポリシーを遵守するログ及びセキュリティポリシーを違反するログ発生時、該当ログをセキュリティポリシー設定部（１１０）で受信したセキュリティポリシー情報で検索して該当ログのセキュリティポリシーＩＤがある場合、セキュリティポリシーＩＤをログに含めて監査ログを記録する。
【００５８】
セキュリティポリシー情報で検索結果該当ログのセキュリティポリシーＩＤがない場合は、セキュリティポリシーＩＤを記録することができないため、ポリシー構成情報をログに含めて監査ログを記録する。
【００５９】
具体的に、セキュリティソフトウェアエージェント（１２０）は、該当ログにセキュリティポリシーＩＤを含めることができない場合、セキュリティポリシーで抽出した行為者又は行為者のアクセスパスを表したサブジェクト情報、上記行為者又はアクセスパスを通じてアクセスしようとする対象を示すオブジェクト情報、上記行為者又はアクセスパスでアクセスしようとする対象に対して実行しようとする内容を示す行為情報及びアクセスしようとする対象に対して実行しようとする内容を許容するか又は拒否するかを示す許容／拒否情報を含むポリシー構成情報をログに含めて監査ログを記録する。
【００６０】
図６を参考すると、アクセス制御セキュリティソフトウェアの場合、セキュリティポリシーＩＤを含めて監査ログを記録された例を示す。該当ログのセキュリティポリシーＩＤ“０００００００２”を含めて監査ログを記録したものである。セキュリティポリシーＩＤを適用できるセキュリティソフトウェアの場合、セキュリティポリシーＩＤを含めて監査ログを記録することができる。
【００６１】
Ｌｉｎｕｘ（登録商標）ホストファイアウォールの場合、セキュリティポリシーＩＤを含むことができなくてポリシー構成情報を含めて監査ログを記録した例示を示す。行為“ＩＮＰＵＴ”、許容可否“ＤＲＯＰ”、サブジェクト“ＳＲＣ：１１１．２２２．３３．４４”、オブジェクト“ＰＲＯＴＯ＝ＴＣＰ”をポリシー構成情報として含め、セキュリティポリシーＩＤを適用できないセキュリティソフトウェア又はセキュリティポリシーＩＤを適用できるセキュリティソフトウェアであってもセキュリティポリシーＩＤが付与されていないセキュリティポリシーに該当し、セキュリティポリシーＩＤをログに含めることができない場合、ポリシー構成情報を含めて監査ログを記録する。
【００６２】
監査ログ収集部（１３０）は、セキュリティソフトウェアエージェント（１２０）で生成した監査ログを収集し、該当監査ログでセキュリティポリシーＩＤ又はポリシー構成情報を抽出し、これをＩＤ又はポリシー構成情報を抽出し、これをポリシー識別情報として収集された監査ログ内容とマッピングして監査ログＤＢ（１３３）に記録する。
【００６３】
監査ログ収集部（１３０）は、収集された監査ログにセキュリティポリシーＩＤが記録されている場合、セキュリティポリシーＩＤを抽出してポリシー識別情報として使用し、収集された監査ログにセキュリティポリシーＩＤが記録されていない場合、ポリシー構成情報を抽出し、これを利用して統合セキュリティポリシーヒストリＤＢ（１１３）を照会し、セキュリティポリシーＩＤを獲得してポリシー識別情報として使用する。
【００６４】
図７を参考すると、アクセス制御セキュリティソフトウェアは、監査ログにセキュリティポリシーＩＤが含まれている。この場合、“ｐｏｌｉｃｙｉｄ”項目を抽出してセキュリティポリシーＩＤ“０００００００２”を獲得する。
【００６５】
Ｌｉｎｕｘ（登録商標）ホストファイアウォールの場合、セキュリティポリシーＩＤが含まれておらず、ポリシー構成情報“ＩＮＰＵＴ”、“ＳＲＣ＝１１１．２２２．３３．４４”、“ＰＲＯＴＯ＝ＴＣＰ”を抽出する。
【００６６】
該当情報を利用して統合セキュリティポリシーヒストリＤＢ（１１３）を照会する。“ＰＲＯＴＯ＝ＴＣＰ”は“ＰＲＯＴＯ＝ＡＬＬ”に含まれる。セキュリティポリシーＩＤ“０００００００１”を獲得して、セキュリティシステムＩＤ情報も一緒に獲得する。
【００６７】
図８を参考すると、監査ログ収集部（１３０）は、このように収集した監査ログ内容と獲得したセキュリティポリシーＩＤ及びセキュリティシステムＩＤをマッピングして監査ログＤＢ（１３３）に記録する。
【００６８】
双方向照会追跡部（１４０）は、統合セキュリティポリシーヒストリＤＢ（１１３）に記録されたポリシー識別情報と監査ログＤＢ（１３３）に記録されたポリシー識別情報を比較してセキュリティポリシーと関連された監査ログを照会、照合及び追跡し、監査ログと関連されたセキュリティポリシーを照会、照合及び追跡することができる。
【００６９】
統合セキュリティポリシーヒストリＤＢ（１１３）は、各セキュリティポリシー別に該当セキュリティポリシーを申請した申請書ＩＤが割当てられる。
【００７０】
図９を参考すると、セキュリティポリシー→監査ログ方向でセキュリティポリシーと関連された監査ログを照会及び追跡することができる。
【００７１】
そして、監査ログ→セキュリティポリシー方向で監査ログと関連された該当セキュリティポリシーを照合及び追跡することができる。
【００７２】
統合セキュリティポリシーヒストリＤＢ（１１３）と監査ログＤＢ（１３３）にはセキュリティポリシーＩＤが共通に入っているため、これを利用して双方向照合及び追跡が可能である。
【００７３】
セキュリティポリシー設定部（１１０）は、セキュリティソフトウェアに対する各セキュリティポリシー別にセキュリティシステムＩＤをマッピングして統合セキュリティポリシーヒストリＤＢ（１１３）に記録し、監査ログ収集部（１３０）は、各監査ログ別にセキュリティシステムＩＤをマッピングして監査ログＤＢ（１３３）に記録する。
【００７４】
双方向照会追跡部（１４０）は、統合セキュリティポリシーヒストリＤＢ（１１３）に記録されたセキュリティシステムＩＤと監査ログＤＢ（１３３）に記録されたセキュリティシステムＩＤを比較して異機種セキュリティソフトウェアに対しても双方向照会、照合及び追跡機能を提供する。
【００７５】
異機種セキュリティソフトウェアに対してセキュリティポリシーをすべて設定することはできないが、セキュリティポリシーを収集しこれを基にポリシー識別情報を構成して統合セキュリティポリシーヒストリＤＢ（１１３）にセキュリティシステムＩＤ、セキュリティポリシーＩＤ及びポリシー構成情報を保存することができる。
【００７６】
まとめると、セキュリティポリシーヒストリ毎のポリシー内容を比較してセキュリティポリシーの変更履歴を追跡及び確認することができ、現行のセキュリティポリシーと監査ログをリアルタイムで双方向照会、照合及び追跡が可能である。
【００７７】
そして、現行以前に設定されていた過去セキュリティポリシーと監査ログをリアルタイムで双方向照会、照合及び追跡が可能である。
【００７８】
また、セキュリティポリシーの申請応報（申請書ＩＤ）をセキュリティポリシーＩＤとマッピングして管理することで、監査ログでセキュリティポリシー申請者情報を追跡することができる。
【００７９】
申請情報設定部（１５０）は、申請書ＩＤ、セキュリティポリシーの申請者情報、セキュリティポリシー申請内容を含む情報を申請情報ＤＢ（１５３）に記録及び管理する。
【００８０】
図１０を参考すると、統合セキュリティポリシーヒストリＤＢ（１１３）と申請情報ＤＢ（１５３）には申請書ＩＤが含まれている。申請書ＩＤは、統合セキュリティポリシーヒストリＤＢ（１１３）と申請情報ＤＢ（１５３）を連結するためのインデックス（ｉｎｄｅｘ）である。
【００８１】
つまり、統合セキュリティポリシーヒストリＤＢ（１１３）の各セキュリティポリシーに対する申請者及び申請書内容などを探すためのインデックスである。
【００８２】
申請情報ＤＢ（１５３）は、申請書ＩＤ、申請者情報、申請日付、申請内容、申請理由などが含まれる。
【００８３】
図１０を参考すると、申請情報確認部（１６０）は、統合セキュリティポリシーヒストリＤＢ（１１３）の申請書ＩＤを基に申請情報ＤＢ（１５３）を照会して該当セキュリティポリシーに対する申請情報を照会することができる。
【００８４】
また、監査ログＤＢ（１３３）からセキュリティポリシーＩＤ及びセキュリティシステムＩＤを獲得した後、これを利用して統合セキュリティポリシーヒストリＤＢ（１１３）を照会してセキュリティポリシー内容を照会することもでき、統合セキュリティポリシーヒストリＤＢ（１１３）を照会して獲得した申請書ＩＤを基に申請情報ＤＢ（１５３）を照会することもできる。
【００８５】
図１１を参考すると、申請情報確認部（１６０）は、監査ログＤＢ（１３３）の各監査ログに割当てられたセキュリティポリシーＩＤを基に統合セキュリティポリシーヒストリＤＢ（１１３）を検索して該当セキュリティポリシーに対する申請書ＩＤを確認した後、申請書ＩＤを基に申請情報ＤＢ（１５３）を照会して該当セキュリティポリシーに対する申請情報を照会することができる。
【００８６】
まとめると、監査ログが発生した時点のセキュリティポリシー及び申請情報を確認することができ、セキュリティポリシーのヒストリ毎のポリシー内容を比較してセキュリティポリシーの変更履歴を追跡及び確認が可能である。セキュリティポリシーＩＤと申請情報ＤＢの申請書ＩＤをマッピングして管理することで、監査ログでセキュリティポリシー申請者情報を追跡することができる。
【００８７】
図１ないし図３を参考して、本発明のセキュリティポリシー及び監査ログ双方向照会、照合、追跡方法を説明する。
【００８８】
まず、セキュリティポリシー設定部（１１０）は、セキュリティポリシーが生成及び変更される度に固有のポリシー識別情報を付与して該当セキュリティポリシーを統合セキュリティポリシーヒストリＤＢ（１１３）に記録及び管理し、セキュリティソフトウェアエージェント（１２０）にセキュリティポリシー情報を転送するセキュリティポリシー設定段階を実行する（Ｓ２１０）。ポリシー識別情報は、セキュリティポリシーＩＤ又はセキュリティポリシーＩＤとポリシー構成情報で構成される。
【００８９】
セキュリティソフトウェアエージェント（１２０）は、受信したセキュリティポリシーを適用してセキュリティポリシーを遵守するログ及びセキュリティポリシーを違反するログ発生時、該当ログ発生と関連されたセキュリティポリシー固有のセキュリティポリシーＩＤ又はポリシー構成情報をログ情報に含めて監査ログを生成するセキュリティポリシー適用段階を実行する（Ｓ２２０）。
【００９０】
監査ログ収集部（１３０）は生成した監査ログを収取し、該当監査ログでセキュリティポリシーＩＤ又はポリシー構成情報を抽出し、これをポリシー識別情報として収集された監査ログ内容とマッピングさせた後、監査ログＤＢ（１３３）に記録する監査ログ収集段階を実行する（Ｓ２３０）。
【００９１】
双方向照会追跡部（１４０）は、統合セキュリティポリシーヒストリＤＢ（１１３）に記録されたポリシー識別情報と監査ログＤＢ（１３３）に記録されたポリシー識別情報を比較してセキュリティポリシーと関連された監査ログを照会、照合及び追跡し、監査ログと関連されたセキュリティポリシーを照会、照合及び追跡する双方向照会追跡段階を実行する（Ｓ２４０）。
【００９２】
セキュリティポリシー設定段階（Ｓ２１０）は、セキュリティポリシーを唯一識別可能なセキュリティポリシーＩＤ又はセキュリティポリシーＩＤ及び複数の項目で構成されたポリシー構成情報を生成し、セキュリティポリシーＩＤと該当セキュリティポリシーをマッピングしたり、セキュリティポリシーＩＤ及び複数の項目で構成されたポリシー構成情報をセキュリティポリシーとマッピングして統合セキュリティポリシーヒストリＤＢ（１１３）に記録する。
【００９３】
セキュリティポリシー設定段階（Ｓ２１０）は、セキュリティソフトウェアに既設定されたセキュリティポリシーＩＤがないセキュリティポリシーを収集し、該当セキュリティポリシーで抽出した行為者又は行為者のアクセスパスを示すサブジェクト情報、上記行為者又はアクセスパスを通じてアクセスしようとする対象を示すオブジェクト情報及び上記行為者又はアクセスパスにアクセスしようとする対象に対して実行しようとする内容を示す行為情報を含む複数の項目で構成されたポリシー構成情報を設定し、セキュリティポリシーＩＤを付与してセキュリティポリシーＩＤ及び複数の項目で構成されたポリシー構成情報をセキュリティポリシーとマッピングして統合セキュリティポリシーヒストリＤＢ（１１３）に記録する。
【００９４】
そして、セキュリティポリシー設定段階（Ｓ２１０）は、セキュリティポリシーＩＤを適用できるセキュリティＩＤを適用できるセキュリティソフトウェアのセキュリティポリシーに対してセキュリティポリシーＩＤを付与し、統合セキュリティポリシーヒストリＤＢ（１１３）へ記録し、セキュリティポリシーＩＤが含まれたセキュリティポリシー情報をセキュリティソフトウェアエージェント（１２０）に転送する。セキュリティポリシーＩＤを適用できないセキュリティソフトウェアの場合、セキュリティポリシーに対してポリシー構成情報を設定し、セキュリティポリシーＩＤを付与してセキュリティポリシーＩＤ及び複数の項目で構成されたポリシー構成情報をセキュリティポリシーとマッピングして統合セキュリティポリシーヒストリＤＢ（１１３）に記録し、セキュリティポリシー情報のみをセキュリティソフトウェアエージェント（１２０）に転送する。
【００９５】
セキュリティポリシー設定段階（Ｓ２１０）は、セキュリティソフトウェアに対する各セキュリティポリシー毎にセキュリティシステムＩＤをマッピングして統合セキュリティポリシーヒストリＤＢ（１１３）に記録して、監査ログ収集段階（Ｓ２３０）は、各監査ログ毎にセキュリティシステムＩＤをマッピングして監査ログＤＢ（１３３）に記録する。
【００９６】
双方向照会追跡段階（Ｓ２４０）は、統合セキュリティポリシーヒストリＤＢ（１１３）に記録されたセキュリティシステムＩＤと監査ログＤＢ（１３３）に記録されたセキュリティシステムＩＤを比較してセキュリティポリシーと監査ログの間に双方向照会、照合及び追跡機能を提供する。
【００９７】
セキュリティポリシー適用段階（Ｓ２２０）は、セキュリティポリシーを遵守するログ及びセキュリティポリシーを違反するログ発生時、該当ログをセキュリティポリシー設定段階（Ｓ２１０）で受信したセキュリティポリシー情報から検索して該当ログのセキュリティポリシーＩＤがある場合、セキュリティポリシーＩＤをログに含めて監査ログを記録し、セキュリティポリシー情報で検索結果該当ログのセキュリティポリシーＩＤがない場合、ポリシー構成情報をログに含めて監査ログを記録する。
【００９８】
セキュリティポリシー適用段階（Ｓ２２０）は、該当ログにセキュリティポリシーＩＤ含めることができない場合、セキュリティポリシーで抽出した行為者又は行為者のアクセスパスを示すサブジェクト情報、上記行為者又はアクセスパスを通じてアクセスしようとする対象を示すオブジェクト情報、上記行為者又はアクセスパスにアクセスしようとする対象に対して実行しようとする内容を示す行為情報及びアクセスしようとする対象に対して実行しようとする内容を許容するか又は拒否するかを表す許容／拒否情報を表す情報を含むポリシー構成情報をログに含めて監査ログを記録する。
【００９９】
監査ログ収集段階（Ｓ２３０）は、収集された監査ログにセキュリティポリシーＩＤが記録されている場合、セキュリティポリシーＩＤを抽出してポリシー識別情報として使用し、収集された監査ログにセキュリティポリシーＩＤが記録されていない場合、ポリシー構成情報を抽出し、これを利用して統合セキュリティポリシーヒストリＤＢ（１１３）を照会し、セキュリティポリシーＩＤを獲得してポリシー識別情報として使用する。
【０１００】
申請書ＩＤ、セキュリティポリシーの申請者情報、セキュリティポリシー申請内容を含む情報を申請情報ＤＢ（１５３）に記録及び管理し、統合セキュリティポリシーヒストリＤＢ（１１３）は、各セキュリティポリシー毎に該当セキュリティポリシーを申請した申請書ＩＤが割当てられる。
【０１０１】
最後に、統合セキュリティポリシーヒストリＤＢ（１１３）の申請書ＩＤを基に申請情報ＤＢ（１５３）を照会して該当セキュリティポリシーに対する申請情報を照会したり、監査ログＤＢ（１３３）の各監査ログに割当てられたセキュリティポリシーＩＤを基に統合セキュリティポリシーヒストリＤＢ（１１３）を検索して該当セキュリティポリシーに対する申請書ＩＤを確認した後、申請書ＩＤを基に申請情報ＤＢ（１５３）を照会して該当セキュリティポリシーに対する申請情報を照会する申請情報確認段階（Ｓ２５０）を実行することができる。
【０１０２】
その他、重複される具体的な説明は、上記で詳細に説明しているので省略する。
【０１０３】
これまで、本発明を望ましい実施例を参照して詳細に説明したが、本発明が、本発明が属する技術分野の当業者は、本発明がその技術的思想や必須的特徴を変更することなく、他の具体的な形で実施することができるため、以上述べた実施例は、すべての面で例示的なものであり限定的なものではないものとして理解すべきである。
【０１０４】
そして、本発明の範囲は、上記詳細な説明よりは、後述する特許請求の範囲によって特定されるものであり、特許請求の範囲の意味及び範囲並びにその等価概念から導出されるすべての変更又は変更された形が、本発明の範囲に含まれるものと解釈されなければならない。
【０１０５】
１００  セキュリティポリシー及び監査ログ双方向照会、総合、追跡システム
１１０  セキュリティポリシー設定部
１１３  統合セキュリティポリシーヒストリＤＢ
１２０  セキュリティソフトウェアエージェント
１３０  監査ログ収集部
１３３  監査ログＤＢ
１４０  双方向照会追跡部
１５０  申請情報設定部
１５３  申請情報ＤＢ
１６０  申請情報確認部
【図１】
2021532440.tif 000003
【図２】
2021532440.tif 000004
【図３】
2021532440.tif 000005
【図４】
2021532440.tif 000006
【図５】
2021532440.tif 000007
【図６】
2021532440.tif 000008
【図７】
2021532440.tif 000009
【図８】
2021532440.tif 000010
【図９】
2021532440.tif 000011
【図１０】
2021532440.tif 000012
【図１１】
2021532440.tif 000013
【国際調査報告】
2021532440.tif 000014
2021532440.tif 000015
2021532440.tif 000016
2021532440.tif 000017